(57)【要約】【解決課題】研削ベルトを取り外した状態で押込まれているテンションバーが誤って飛び出すようなことがあっても、生じる損傷が小さくなるようにする。【解決手段】無端ベルト式研削工具において、テンションバー１８が、筒状保持部１６内で前後に分割された前方部分１８−３と後方部分１８−４とから構成される。無端研削ベルト２２がドライブプーリ１４とアイドルプーリ２０とにかけられてバネ２４による張力がかけられた状態で、前方部分１８−３と後方部分１８−４とが押圧当接されるようにされる。テンションバーをバネ２４に抗して筒状保持部１６内に押し込んだきに、テンションバー１８の後方部分１８−４に係合して、後方部分１８−４をバネ２４の付勢力に抗して押込まれた位置に保持する係止部材２６を有する。【選択図】図２
2008194769.tif 000002
【特許請求の範囲】
【請求項１】
ボディ部と、
該ボディ部に取り付けられたドライブプーリと、
該ボディ部から、該ドライブプーリの回転軸線に対して直角方向前方に延びる筒状保持部と、
該筒状保持部の前端から後方に挿入され、且つ、該前端から前方に延びるテンションバーと、
該テンションバーの先端に取り付けられるアイドルプーリと、
該ドライブプーリに掛けられ、テンションバーに沿って前方に延び、アイドルプーリにかけられた無端研削ベルトと、
該筒状保持部内に設定されて、該テンションバーを前方に付勢し、該無端研削ベルトに張力をかけるバネと、
を有する無端ベルト式研削工具において、
該テンションバーが、該筒状保持部内で前後に分割された前方部分と後方部分とから構成され、該無端研削ベルトが該ドライブプーリと該アイドルプーリとにかけられて該バネによる張力がかけられた状態で、該前方部分と該後方部分とが押圧当接されるようになし、
該無端ベルト式研削工具が、該テンションバーを該バネに抗して該筒状保持部内に押し込んだときに、該テンションバーの該後方部分に係合して、該後方部分を該バネの付勢力に抗して該押込まれた位置に保持する係止部材を有することを特徴とする無端ベルト式研削工具。
【請求項２】
該テンションバーの該後方部分の前端にフランジ状部分が設けられ、該バネが該筒状保持部内で該後方部分の周りを囲むように設定され、前端が該フランジ状部分に係合されるようにしたコイルバネとされ、該テンションバーの前方部分の後端面が該フランジ状部分の前端面に当接するようになされている請求項１に記載の無端ベルト式研削工具。
【請求項３】
該テンションバーの該後方部分が、その外周側面に凹部を有し、
該係止部材が、該研削ベルトに張力がかけられた状態における該後方部分の該凹部よりも後方位置に設定され、該後方部分に対する横断方向で付勢されて該後方部分の外周側面に係合するようになされ、該テンションバーが該バネに抗して後方に押込まれて、該凹部が該係止部材と整合する位置とされたときに、該凹部に係合して、該後方部分を該バネの付勢力に抗して該位置に保持するとともに、該横断方向での付勢に抗して動かされることにより、該凹部との係合が外されるようになされている請求項２に記載の無端ベルト式研削工具。
【発明の詳細な説明】
【技術分野】
【０００１】
本発明は、無端研削ベルトを回転駆動して対象物に当接することにより、同対象物の研削を行うようにした無端ベルト式研削工具に関する。
【背景技術】
【０００２】
図１には、無端ベルト式研削工具の一般的構造が示されている。図示のように、該工具は、エアモータ１０を内蔵したボディ部１２と、該ボディ部に取り付けられてモータにより駆動されるドライブプーリ１４と、ボディ部１２から、ドライブプーリ１４の回転軸線に対して直角方向前方（図においては左方）に延びる筒状保持部１６と、該筒状保持部の前端から後方に挿入され、且つ、該前端から前方に延びるテンションバー１８と、該テンションバーの先端に取り付けられるアイドルプーリ２０と、該アイドルプーリ及びドライブプーリ間に掛けられた無端研削ベルト２２と、筒状保持部１６内に設定されて、テンションバー１８を前方に付勢して図示の位置とし、無端研削ベルト２２に張力をかけるコイルバネ２４とを有し、無端研削ベルト２２をエアモータ１０により回転駆動しながら被処理物に当てることにより、該被処理物の研削を行う。
【０００３】
また、無端ベルト式研削工具は、研削ベルト２２を交換するときに用いる係止部材２６を有する。係止部材２６は、矩形状の板金を折り曲げてＬ字状にされたもので、テンションバー１８を横断するように設定され、テンションバーを通す穴２６−１を有する内側部分２６-２と、該内側部分から直角に延び、当該無端ベルト式研削工具のボディ表面に露呈され、作業者によって押込まれるようにされた外側部分２６-３とを有している。該係止部材２６は、（図示ない）バネ部材によって外側部分２６−３がボディ１２の外側（図においては下側）に向うように付勢されており、テンションバー１８が図示の位置からコイルバネ２４に抗して押込まれ、該テンションバーの外周面に形成された環状溝１８−１が該係止部材の穴２６−１と整合したときに、上記バネ部材の作用により、穴２６−１の縁が該環状溝１８−１に係合されるように動かされ、該テンションバーをコイルバネ２４に抗して保持するようになっている。
【０００４】
研削ベルト２２を交換するときには、図１の状態からテンションバー１８をコイルバネ２４に抗して筒状保持部１６内に押込み、係止部材２６によって、該テンションバーを係止する。これによりアイドルプーリとドライブプーリとの間の間隔は小さくなり、無端研削ベルトの張力はなくなる。この状態の無端研削ベルトをプーリから外し、新たな無端研削ベルトに掛け換え、係止部材２６の外側部分２６−３を押込んで、当該係止部材２６によるテンションバー１８の係止を解除し、コイルバネ２４により、テンションバーを前方に押し出し、この新しい無端研削ベルトに張力をかけた状態とする。
【０００５】
このような無端ベルト式研削工具の例としては、特許文献1に示すようなものがある。
【特許文献１】特許３８２６１３３号
【発明の開示】
【発明が解決しようとする課題】
【０００６】
しかしながら、実際のベルト交換作業においては、ベルトを外した状態のときに、作業者が係止部材２６を誤って押し込み、係止部材２４によるテンションバー１８の係止を外してしまうことがある。この場合、テンションバー１８はコイルバネ２４によって勢い良く前方へ押し出される。テンションバー１８には、その後端に筒状保持部の内周面と摺動係合した摺動部１８−２が設けられており、該摺動部１８−２が係止部材２６、特に該係止部材の内側部分２６-２にある穴２６−１の周縁部分に激しく衝突する。このため、このようなことが重なると、特に大型の無端ベルト式研削工具でテンションバーも大きく重量のあるものにおいては、係止部材２６の上記穴２６−１の周縁部分とテンションバー１８の上記摺動部１８−２との一方又は双方に損傷が生じるおそれがある。
【０００７】
本発明は、このような点に鑑み、作業者による上述の如き誤った操作があったとしても、そのような損傷の発生を抑えることが出来るようにした無端ベルト式研削工具を提供することを目的としている。
【課題を解決するための手段】
【０００８】
すなわち、本発明は、
ボディ部と、
該ボディ部に取り付けられたドライブプーリと、
該ボディ部から、該ドライブプーリの回転軸線に対して直角方向前方に延びる筒状保持部と、
該筒状保持部の前端から後方に挿入され、且つ、該前端から前方に延びるテンションバーと、
該テンションバーの先端に取り付けられるアイドルプーリと、
該ドライブプーリに掛けられ、テンションバーに沿って前方に延び、アイドルプーリにかけられた無端研削ベルトと、
該筒状保持部内に設定されて、該テンションバーを前方に付勢し、該無端研削ベルトに張力をかけるバネと、
を有する無端ベルト式研削工具において、
該テンションバーが、該筒状保持部内で前後に分割された前方部分と後方部分とから構成され、該無端研削ベルトが該ドライブプーリと該アイドルプーリとにかけられて該バネによる張力がかけられた状態で、該前方部分と該後方部分とが押圧当接されるようになし、
該無端ベルト式研削工具が、該テンションバーを該バネに抗して該筒状保持部内に押し込んだときに、該テンションバーの該後方部分に係合して、該後方部分を該バネの付勢力に抗して該押込まれた位置に保持する係止部材を有することを特徴とする無端ベルト式研削工具を提供する。
【０００９】
この無端ベルト式研削工具においては、テンションバーが前方部分と後方部分との分離されているために、前述の如く、ベルト交換のためにテンションバーを押込み、研削ベルトを外した状態において、作業者が誤って係止部材によるテンションバーの係止を外してしまい、テンションバーがバネの付勢力により押し出されて、当該テンションバーの後方部分の一部が係止部材に衝突するような場合であっても、そのときの衝撃力は、該後方部分の重量の関数となる。この衝撃力は、従来のテンションバーではその前方部分及び後方部分が一体であったため、上記衝撃力はテンションバー全体の重量の関数となっていたことに比較し、大幅に低減されることになる。
【００１０】
具体的には、
該テンションバーの該後方部分の前端にフランジ状部分が設けられ、該バネが該筒状保持部内で該後方部分の周りを囲むように設定され、前端が該フランジ状部分に係合されるようにしたコイルバネとされ、該テンションバーの前方部分の後端面が該フランジ状部分の前端面に当接するようにすることができる。
【００１１】
更に具体的には、
テンションバーの後方部分が、その外周側面に凹部を有し、
該係止部材が、該研削ベルトに張力がかけられた状態における該後方部分の該凹部よりも後方位置に設定され、該後方部分に対する横断方向で付勢されて該後方部分の外周側面に係合するようになされ、該テンションバーが該バネに抗して後方に押込まれて、該凹部が該係止部材と整合する位置とされたときに、該凹部に係合して、該後方部分を該バネの付勢力に抗して該位置に保持するとともに、該横断方向での付勢に抗して動かされることにより、該凹部との係合が外されるようにすることができる。
【発明を実施するための最良の形態】
【００１２】
以下、本発明の実施例に係る無端ベルト式研削工具を図２及び図３に基づき説明する。尚、以下の説明において、前述の従来技術に係る無端ベルト式研削工具の構成エレメントと同じ構成エレメントについては、同じ参照番号を用いる。
【００１３】
図２に示すように、本発明に係る無端ベルト式研削工具の基本的構成は、図1に示した従来のものと同じであり、エアモータ１０を内蔵したボディ部１２と、該ボディ部に取り付けられてエアモータにより駆動されるドライブプーリ１４と、ボディ部１２から、ドライブプーリ１４の回転軸線に対して直角方向前方（図においては左方）に延びる筒状保持部１６と、該筒状保持部の前端から後方に挿入され、且つ、該前端から前方に延びるテンションバー１８と、該テンションバーの先端に取り付けられるアイドルプーリ２０と、該アイドルプーリ及びドライブプーリ間に掛けられた無端研削ベルト２２と、筒状保持部１６内に設定されて、テンションバー１８を前方に付勢して図示の位置とし、無端研削ベルト２２に張力をかけるコイルバネ２４と、テンションバーを該コイルバネに抗して図示の位置から筒状保持部内に押込み、所定位置としたときに、該テンションバーに係合して、テンションバーをコイルバネ２４の付勢力に抗して保持する係止部材２６とを有する。
【００１４】
係止部材２６も、前述の従来のものと同様に、矩形の板金を折り曲げてＬ字状にされたもので、テンションバー１８を横断するように設定され、テンションバーを通す穴２６−１を有する内側部分２６-２と、該内側部分から直角に延び、当該無端ベルト式研削工具のボディ表面に露呈され、作業者によって押込まれるようにされた外側部分２６-３とを有している。該係止部材１８は、コイルバネ２６−４によって外側部分２６−３がボディ１２の外側（図においては下側）に向うように付勢されており、図示の状態においては、内側部分２６−２の穴２６−１の周縁部分（図２における穴周縁の上の部分）が、テンションバー１８の外周面に係合する状態とされる。テンションバーがコイルバネ２４に抗して押込まれ、該テンションバーの外周面に形成された環状溝１８−１が該係止部材の穴２６−１と整合したときに、コイルバネ２６−４の作用により、穴２６−１の周縁部分が該環状溝１８−１に係合されるように動かされる。
【００１５】
この無端ベルト式研削工具において特徴とするところは、次の点にある。
【００１６】
すなわち、該テンションバー１８が、筒状保持部１６内で前方部分１８−３と後方部分１８−４に分離され、環状溝１８−１が後方部分１８−４に設けられていることである。具体的には、前方部分１８−３は、後端面１８−５を有し、後方部分１８−４はその前端にフランジ状部分１８−６を有し、該前方部分１８−３の後端面１８−５と後方部分１８−４のフランジ状部分１８−６の前端面とが相互に当接状態とされる。後方部分１８−４は、フランジ状部分１８−６と環状溝１８−１との間の前部１８−７と、環状溝１８−１より後方の後部１８−８とを有し、後部１８−８の後端には筒状保持部の内周面と摺動するようにされた摺動部１８−２とを有する。コイルバネ２４は、フランジ状部分１８−６に係合しており、係止部材２６が環状溝１８−１に係合しない図示の状態において、該テンションバー１８の後方部分１８-４と前方部分１８−３とを前方へ押し出し、ドライブプーリ１４及びアイドルプーリ２０にかけられた無端研削ベルト２２に張力がかかる状態とし、この状態で、前方部分１８−３の後端面１８−５と後方部分１８−４のフランジ状部分１８−６の前端面とが相互に押圧された状態とされるようになっている。
【００１７】
図において、参照番号３０は、筒状保持部１６の前端開口を閉じるように設定される端部壁３０−１を有するコ字状の部材であり、該端部壁３０−１には、テンションバー１８の前方部分１８−３を通すための穴３０−２、及び、テンションバー１８の前方部分１８−３に、該前方部分を横断するように設けられたピン３２の両端部分を通すために穴３０−１の直径方向で対向する位置から半径方向外方に延びる切欠き３０−４，３０−４（図３）が設けられている。参照番号３４は、筒状保持部１６内に、その内周面に接するように挿入され、筒状保持部１６に半径方向に延びるように設けられたネジ孔にネジ係合されるネジ３６によって固定された筒状部材であって、該筒状部材はテンションバー１８の前方部分１８−３を通す孔及び該前方部分１８-３に設けられたピン３２の両端部分を前後方向で通すための一対のスロット３４−１，３４−１（図２）を有する。該スロット３４−１，３４−１は、前後方向で、上述した端部壁３０−１に設けられた（ピン３２を通すための）切欠き３０−４，３０−４とは整合しないようにされている。テンションバーの前方部分１８−３は、ピン３２の両端部分がスロット３４−１内に摺動可能なるようにして設定され、該前方部分１８−３を筒状保持部１６から前方に抜き出すためには、ピン３２をコ字状の部材３０と筒状部材３４の先端との間に形成された空間３５に来るまで動かしてから、該ピンの両端が切欠き３０−４，３０−４に整合するように回動する必要があるようになっている。
【００１８】
この無端ベルト式研削工具において、研削作業を行うときには、研削ベルト２２に張力をかけて回転駆動した状態で、該ベルトを被処理物に押し当てて研削を行う。
【００１９】
研削ベルト２２を交換するときには、前述の従来の工具と同様に、テンションバー１８をコイルバネ２４に抗して後方へ押込み、該テンションバー１８の環状溝１８−１に係止部材２６が係合して、該テンションバーを押込み位置に保持する。この状態で、張力がなくなった研削ベルト２２をプーリ１４、２０から外し、新たなベルトを掛け換えた後、係止部材２６を押込んで、テンションバー１８の環状溝１８−１との係合を外し、これにより、テンションバー１８がコイルバネ２４により前方へ押し出され、それにより、研削ベルト２４に張力がかかるようにする。
【００２０】
このベルト交換作業において、ベルトを外した状態で、作業者が誤って、係止部材２６を押込み、該係止部材によるテンションバーの係止が外れ、そのために、該テンションバーがコイルバネ２４により勢いよく押し出された場合、前述の従来のものと同様に、テンションバーの後端に設けられている摺動部１８−２が、係止部材２６のテンションバーを通すための穴の周縁に衝突する。このため、該周縁やフランジ状部分が損傷する虞がある。しかし、この無端ベルト式研磨工具においては、このときに穴の周縁に衝突することによる該周縁及びフランジ状部分の間の衝撃力は、テンションバーの後方部分１８-４の重量の関数である。従来工具では、その衝撃力は、前方部分及び後方部分が一体的に形成されているテンションバー全部の重量の関数であり、この点、本発明に係る無端ベルト切削工具における上記衝撃力は、従来のものに比べて大幅に低減することになり、このため、前述した如き、従来の無端ベルト式研削工具における問題を大幅に緩和することができる。
【図面の簡単な説明】
【００２１】
【図１】汎用の無端ベルト式研削工具の縦断平面図である。
【図２】本発明に係る無端ベルト式研削工具の縦断平面図である。
【図３】図２の無端ベルト式研削工具の一部断面側面図である。
【符号の説明】
【００２２】
エアモータ１０；ボディ部１２；ドライブプーリ１４；筒状保持部１６；テンションバー１８；環状溝１８−１；摺動部１８−２；前方部分１８−３；後方部分１８−４；後端面１８−５；フランジ状部分１８−６；前部１８−７；後部１８−８；アイドルプーリ２０；無端研削ベルト２２；コイルバネ２４；係止部材２６；穴２６−１；内側部分２６-２；外側部分２６-３；コ字状の部材３０；端部壁３０−１；穴３０−１；ピン３２；筒状部材３４；ネジ３６
【図１】
2008194769.tif 000003
【図２】
2008194769.tif 000004
【図３】
2008194769.tif 000005
【手続補正書】
【提出日】平成20年2月13日(2008.2.13)
【手続補正１】
【補正対象書類名】明細書
【補正対象項目名】００１４
【補正方法】変更
【補正の内容】
【００１４】
係止部材２６も、前述の従来のものと同様に、矩形の板金を折り曲げてＬ字状にされたもので、テンションバー１８を横断するように設定され、テンションバーを通す穴２６−１を有する内側部分２６-２と、該内側部分から直角に延び、当該無端ベルト式研削工具のボディ表面に露呈され、作業者によって押込まれるようにされた外側部分２６-３とを有している。該係止部材２６は、コイルバネ２６−４によって外側部分２６−３がボディ１２の外側（図においては下側）に向うように付勢されており、図示の状態においては、内側部分２６−２の穴２６−１の周縁部分（図２における穴周縁の上の部分）が、テンションバー１８の外周面に係合する状態とされる。テンションバーがコイルバネ２４に抗して押込まれ、該テンションバーの外周面に形成された環状溝１８−１が該係止部材の穴２６−１と整合したときに、コイルバネ２６−４の作用により、穴２６−１の周縁部分が該環状溝１８−１に係合されるように動かされる。
【手続補正２】
【補正対象書類名】明細書
【補正対象項目名】００１７
【補正方法】変更
【補正の内容】
【００１７】
図において、参照番号３０は、筒状保持部１６の前端開口を閉じるように設定される端部壁３０−１を有するコ字状の部材であり、該端部壁３０−１には、テンションバー１８の前方部分１８−３を通すための穴３０−２、及び、テンションバー１８の前方部分１８−３に、該前方部分を横断するように設けられたピン３２の両端部分を通すために穴３０−２の直径方向で対向する位置から半径方向外方に延びる切欠き３０−４，３０−４（図３）が設けられている。参照番号３４は、筒状保持部１６内に、その内周面に接するように挿入され、筒状保持部１６に半径方向に延びるように設けられたネジ孔にネジ係合されるネジ３６によって固定された筒状部材であって、該筒状部材はテンションバー１８の前方部分１８−３を通す孔及び該前方部分１８-３に設けられたピン３２の両端部分を前後方向で通すための一対のスロット３４−１，３４−１（図２）を有する。該スロット３４−１，３４−１は、前後方向で、上述した端部壁３０−１に設けられた（ピン３２を通すための）切欠き３０−４，３０−４とは整合しないようにされている。テンションバーの前方部分１８−３は、ピン３２の両端部分がスロット３４−１内に摺動可能なるようにして設定され、該前方部分１８−３を筒状保持部１６から前方に抜き出すためには、ピン３２をコ字状の部材３０と筒状部材３４の先端との間に形成された空間３５に来るまで動かしてから、該ピンの両端が切欠き３０−４，３０−４に整合するように回動する必要があるようになっている。
【手続補正３】
【補正対象書類名】明細書
【補正対象項目名】００１９
【補正方法】変更
【補正の内容】
【００１９】
研削ベルト２２を交換するときには、前述の従来の工具と同様に、テンションバー１８をコイルバネ２４に抗して後方へ押込む。これにより、該テンションバー１８の環状溝１８−１に係止部材２６が係合して、該テンションバー１８の後方部分１８−４を押込み位置に保持すると共に前方部分１８−３はテンションフリーな状態となる。この状態で、張力がなくなった研削ベルト２２をプーリ１４、２０から外し、新たなベルトを掛け換えた後、係止部材２６を押込んで、テンションバー１８の環状溝１８−１との係合を外す。これにより、テンションバー１８がコイルバネ２４により前方へ押し出され、研削ベルト２４に張力がかかる。
【手続補正４】
【補正対象書類名】明細書
【補正対象項目名】００２０
【補正方法】変更
【補正の内容】
【００２０】
このベルト交換作業において、ベルトを外した状態で、作業者が誤って、係止部材２６を押込み、該係止部材によるテンションバーの係止が外れ、そのために、該テンションバーがコイルバネ２４により勢いよく押し出された場合、前述の従来のものと同様に、テンションバーの後端に設けられている摺動部１８−２が、係止部材２６のテンションバーを通すための穴の周縁に衝突する。しかし、この無端ベルト式研磨工具においては、前方部分１８−３と後方部分１８−４とが分離されているので、このときに穴の周縁に衝突することによる該周縁及びフランジ状部分の間の衝撃力は、テンションバーの後方部分１８-４の重量の関数である。従来工具では、その衝撃力は、前方部分及び後方部分が一体的に形成されているテンションバー全部の重量の関数であり、この点、本発明に係る無端ベルト切削工具における上記衝撃力は、従来のものに比べて大幅に低減することになり、このため、前述した如き、従来の無端ベルト式研削工具における問題を大幅に緩和することができる。